(57)【要約】【課題】塵埃・風雨などからの防護または光学的障害への対処のため、屋外に設置する監視等カメラ装置はワイパー手段を備えたカメラハウジングに収納する場合が多いが、往復移動する払拭子が撮影されて画面が見づらいだけでなく、計測または画像解析などのための撮影では生成された画像データ等に影響する。【解決手段】カメラハウジング前面の開口孔とその内部に備えた撮影窓との間に回動する光学回転板を設け、これらを通して撮影する。光学回転板の回動にともないその表面を払拭する払拭子を設置して水滴／水濡れまたは汚れによる光学的障害を防ぎ、払拭子が撮影されて画面が見ずらかったり、上述の画像データ等に影響することのないカメラハウジング装置の提供を目的とする。【選択図】  図１
2007110665.tif 000002
【特許請求の範囲】
【請求項１】
開口孔を有する前面板の裏側に設けた清浄部とその後部にカメラ装置を収納するカメラ収納部とを備えたカメラハウジング装置であって、
前記清浄部には電動機で回動する光学回転板とその前面または両面が払拭されるように設置した１または複数個の払拭子とを備え、前記カメラ収納部と清浄部との間に光学ガラス等を用いた撮影窓を有する仕切板を備え、前記カメラ装置の撮影光軸は前記それぞれ撮影窓と光学回転板の面の一部分と開口孔とを通して被写体を撮影し、
前記払拭子は前記回動にともない光学回転板表面の水滴／水濡れまたは塵埃等による汚れを払拭することを特徴とするカメラハウジング装置。
【請求項２】
前記仕切板に通風孔を設け前記収納部を介し清浄部に空気を圧入して前記開口孔より排出することを特徴とする請求項１に記載のカメラハウジング装置。
【請求項３】
光学回転板の前記回転軸よりも下の部分と払拭子とはそれぞれ前記清浄部に貯水された水等の洗浄液に浸漬されて前記回動にともない該払拭子で払拭洗浄され、前記光学回転板の面の一部分はそれが洗浄液より脱出した位置で上記払拭子とは別の払拭子により洗浄液の水滴／水濡れが払拭された面であることを特徴とする請求項１または２に記載のカメラハウジング装置。
【請求項４】
前記撮影窓または光学回転板は光学フィルタの作用を有することを特徴とする請求項１〜３のいずれか１項に記載のカメラハウジング装置。
【発明の詳細な説明】
【技術分野】
【０００１】  本発明は、カメラ装置を収納し撮影窓を通して被写体を撮影するカメラハウジング装置に係り、撮影画像に影響せずに撮影窓を清浄に保つ手段に関する。
【背景技術】
【０００２】  従来、ビデオカメラ等のカメラ装置で被写体を撮影して監視／観測／計測、さらにはこれらの記録、画像解析などを行なう装置が使用されている。
これらの屋外における撮影時には、塵埃・風雨または日照などによるカメラ装置の電気／機械的弊害の防護のため、また、撮像レンズ面に付着する水滴または汚れにともなう光学的障害の対処のため、箱状のカメラハウジングに収納して撮影する場合が多い。そしてその撮影は、その前面に設けた光学ガラス等を用いた撮影窓を通して行なわれる。【０００３】  このようなカメラハウジングは、通常、その撮影窓の塵埃等による汚れ、または雨等による水滴、水濡れなどを払拭して光学的障害を除くためのワイパー手段を設けている。
これは、例えば、車両用等のワイパー等に基づくものであって、その撮影窓面を電動で円弧状に往復移動するアームに設けた払拭子で水滴／水濡れなどを払拭する。【０００４】  また、カメラ装置の撮影レンズの直前に、その中心を軸に電動機等により高速で回動する光学ガラス等を用いた回転板を設置し、そして、その回転板の周辺の一部を通して被写体を撮影する手段（特許文献１参照）も提案されている。
これは、その回転板の表面に付着した水滴を遠心力により跳ね飛ばして雨滴が直接に撮影レンズに付着するのを防ぐものである。
【特許文献１】実開平５−２１３２
【発明の開示】
【発明が解決しようとする課題】
【０００５】  上述したような、ワイパー手段を備えたカメラハウジング装置では、円弧状に往復移動する払拭子が撮影されて画面に現われることになる。これは、監視／観測すべき画面が見づらいだけでなく、計測または画像解析などのための撮影では生成される画像データ等に影響する。【０００６】  また、上述した回転板による手段では、降雨時等にその表面に付着した水滴等を遠心力により跳ね飛ばすとしても、降雨時以外には回転体は塵埃その他により次第に汚れが蓄積し、光学的な支障を及ぼすことになる。【０００７】  本発明による装置は、このような背景になされ、カメラハウジングの前面板に設けた開口孔とその内部に備えた撮影窓との間に回動する光学回転板を設け、撮影はこれらを通して行なわれる。
そして、光学回転板の回動にともないその表面を払拭する払拭子により水滴／水濡れまたは汚れによる光学的障害を防ぐことにより、払拭子が撮影されて画面が見ずらかったり、上述の画像データ等に影響することのないカメラハウジング装置の提供を目的とする。
【課題を解決するための手段】
【０００８】  本発明は、上記目的を達成するため、次の課題解決手段によりこの問題を解決した。
本発明のテレビジョン画像合成装置の課題解決の手段は、開口孔を有する前面板の裏側に設けた清浄部とその後部にカメラ装置を収納するカメラ収納部とを備えたカメラハウジング装置であって、前記清浄部には電動機で回動する光学回転板とその前面または両面が払拭されるように設置した１または複数個の払拭子とを備え、前記カメラ収納部と清浄部との間に光学ガラス等を用いた撮影窓を有する仕切板を備え、前記カメラ装置の撮影光軸は前記それぞれ撮影窓と光学回転板の面の一部分と開口孔とを通して被写体を撮影し、前記払拭子は前記回動にともない光学回転板表面の水滴／水濡れまたは塵埃等による汚れを払拭することを特徴とする（請求項１）。【０００９】  これにより、光学回転板の回動にともないその表面を払拭する払拭子により水滴／水濡れまたは汚れの蓄積を防いで光学的障害を排除し、しかも、払拭子が撮影されて画面が見ずらかったり、上述の画像データ等に影響することのないカメラハウジング装置を提供できる。【００１０】  また、第２の課題解決手段としては、前記仕切板に通風孔を設け前記収納部を介し清浄部に空気を圧入して前記開口孔より排出する（請求項２）。
従って、霧状の水滴または塵埃／雪等の開口孔からの侵入を防止できる。また、前記排出によりカメラハウジング装置内の熱を放出することもできる。【００１１】  さらに、第３の課題解決手段は、光学回転板の前記回転軸よりも下の部分と払拭子とはそれぞれ前記清浄部に貯水された水等の洗浄液に浸漬されて前記回動にともない該払拭子で払拭洗浄され、前記光学回転板の面の一部分はそれが洗浄液より脱出した位置で上記払拭子とは別の払拭子により洗浄液の水滴／水濡れが払拭された面である（請求項３）。
これにより、水滴または塵埃による汚れが光学回転板に蓄積しないよう洗浄しながら撮影できる。【００１２】  また、第４の課題解決手段は、前記撮影窓または光学回転板は光学フィルタの作用を有する（請求項４）。これにより、紫外線／赤外線、その他光学的作用を有する光学フィルタとして兼用できる。
【発明の効果】
【００１３】  本発明の効果として、撮影窓を直接払拭することなく水滴／水濡れまたは汚れの蓄積を防ぎ、開口孔から侵入する霧状の水滴または塵埃／雪等を防止して光学的障害に対処しながら撮影でき、しかも、ワイパー手段の払拭子が撮影されて撮像画面が見ずらかったり計測または画像解析など観測データに影響しないカメラハウジング装置を提供できる。
【発明を実施するための最良の形態】
【００１４】  本発明を実施するための実施の形態を図を参照して説明する。図１は本発明実施例のカメラハウジング装置の清浄部とカメラ装置を示す斜視図、図２は同実施例のカメラハウジング装置の外観斜視図である。【００１５】  図においては、１はカメラハウジング装置、２は撮影窓、３は光学回転板、４は払拭子、５は回転軸、６は清浄部、７はカメラ収納部、８は仕切板、９は撮像レンズ、１０はカメラ装置、１１は前面板、１２は開口孔である。【００１６】  本実施例のカメラハウジング装置は、図１、図２に示すように、開口孔１２を有する前面板１１の裏側に設けた清浄部６とその後部にカメラ装置１０を収納するカメラ収納部７とを備えたカメラハウジング装置１であって、清浄部６には電動機で回動する光学回転板３とその前面または両面が払拭されるように設置した１または複数個の払拭子４とを備え、カメラ収納部７と清浄部６との間に光学ガラス等を用いた撮影窓２を有する仕切板８を備え、カメラ装置１０の撮影光軸はそれぞれ撮影窓２と光学回転板３の面の一部分と開口孔１２とを通して被写体を撮影し、払拭子４は前記回動にともない光学回転板３表面の水滴／水濡れまたは塵埃等による汚れを払拭することを特徴とする。【００１７】  上記構成の動作を図１および図２を参照して説明する。図２に示すカメラハウジング装置１は、その前面である前面板１１の上部に開口孔１２が設けられ、その前面板１１の裏側には、図１に示すような清浄部６が備えられる。
図１において、カメラハウジング装置１は、清浄部６と仕切板８を介してその後部にカメラ収納部７が構成され、これにはカメラ装置１０が前向きに収納される。
これにより、屋外での撮影では、塵埃・風雨または日照などによるカメラ装置１０の電気／機械的弊害を防護し、また、撮像レンズ面に付着する水滴または汚れにともなう光学的障害に対処しながら撮影できる。【００１８】  また、この清浄部６には、回転軸５で回動する光学回転板３が設けられ、回転軸５はカメラ収納部７側に設けた電動機に基づき連動する。この場合、光学回転板３は、これに点線の矢印で示す方向に前記回動するものとする。
そして、光学回転板３の前面がその回動にともない払拭されるように払拭子４を設置する。また、前記電動機のオン／オフ動作または速度を調整してもよい。さらに、払拭子４は一個でも複数でもよく、一組等の払拭子４で光学回転板３の両面を払拭してもよい。【００１９】  ここで、仕切板８の上部には光学ガラス等を用いた撮影窓２を設け、これに近接して光学回転板３を配設する。また、カメラ装置１０の撮影レンズに基ずく撮影光軸は、それぞれ撮影窓２と、光学回転板３の上部部分と、及び図２の開口孔１２とを通し、必要とする視野角で被写体を撮影する。
このようにして、屋外での撮影では、塵埃・風雨または日照などによるカメラ装置１０の電気／機械的弊害を防護し、水滴／水濡れまたは塵埃等が撮影窓２に直接付着するのを防ぐ。そして、光学回転板３は、前記回動にともない光学回転板３の前面または両面の水滴／水濡れまたは塵埃等による汚れを払拭子４で払拭することにより、撮影窓２および撮像レンズ９の光学的障害に対処しながら撮影できる。【００２０】  次に、前述の第２の課題解決手段によれば、仕切板８に通風孔を設けカメラ収納部７を介し清浄部６に空気を圧入して前記開口孔より排出する。
すなわち、モーターファンその他により、カメラ収納部７に空気圧を加える手段をカメラ収納部７またはその外部に備え、仕切板８の撮影窓２の上部等に設けた通風孔を介し、前記空気圧によりカメラ収納部７から清浄部６に空気を流入させる。
これにより、図２の開口孔１２より空気が排出することにより霧状の水滴または塵埃等の侵入を防止し、また、前記排出によりカメラハウジング装置内の熱を放出できる。
さらに、カメラ収納部７から清浄部６への前記空気の流入は、撮影窓２に添ってエアカーテン効果となるように流入することが望ましい。これにより、特に霧状の水滴または塵埃等に対する防御効果がある。【００２１】  また、第３の課題解決手段によれば、光学回転板３の回転軸５よりも下の部分と払拭子４とはそれぞれ清浄部６に貯水された水等の洗浄液に浸漬されて前記回動にともない該払拭子で払拭洗浄され、光学回転板３の面の一部分はそれが洗浄液より脱出した位置で上記払拭子とは別の払拭子により洗浄液の水滴／水濡れが払拭された面である。【００２２】  これは、清浄部６の下部は水等の洗浄液を貯水できるものとし、光学回転板３の回転軸５よりも下の部分と払拭子４とは前記洗浄液に浸漬される。この洗浄液は別途容器に入れて容器ごと装填するようにすれば、洗浄液の交換が容易となる。
これにより、光学回転板３は、前記回動にともない該払拭子で払拭洗浄され、光学回転板３が回動して前記洗浄液面より脱出した位置で、上記払拭子とは別の払拭子により洗浄液の水滴／水濡れを払拭するものである。また、前記払拭洗浄および別の払拭子による洗浄液の水滴／水濡れの払拭は、光学回転板３の両面についても行なうことが出来る。【００２３】  さらに、第４の課題解決手段は、撮影窓２または光学回転板３は光学フィルタの作用を有するものである。
すなわち、撮影窓２または光学回転板３は、単なる透明な光学ガラス等によるものではなく、光学フィルタを用いることができる。これにより、例えば紫外線／赤外線その他の光学フィルタとして兼用できる。【００２４】  このようにして、本発明は、ハウジングの撮影窓を直接払拭することなく水滴／水濡れまたは汚れの蓄積を防いで光学的障害に対処しながら撮影でき、しかも、円弧状に往復移動する払拭子が撮影されて撮像画面が見ずらかったり、観測データに影響することのないカメラハウジング装置を提供できる。
【図面の簡単な説明】
【００２５】
【００２６】
【図１】本発明実施例のカメラハウジング装置の清浄部とカメラ装置を示す斜視図。
【図２】同実施例のカメラハウジング装置の外観斜視図。
【符号の説明】
【００２７】１  カメラハウジング装置
２  撮影窓
３  光学回転板
４  払拭子
５  回転軸
６  清浄部
７  カメラ収納部
８  仕切板
９  撮像レンズ
１０  カメラ装置
１１  前面板
１２  開口孔
【図１】
2007110665.tif 000003
【図２】
2007110665.tif 000004